(57)【要約】【課題】簡易な構成で遠隔地にいる人の健康状態を管理できる、健康状態の遠隔管理システムを提供する。【解決手段】遠隔管理システムは、健康状態の管理対象者が常時携行でき、この管理対象者の歩行を計測する歩数計端末と、歩行計端末と所定の回線を介してデータの送受信が可能であって、管理対象者の健康状態を監視する監視者が携行可能な受信端末を備える。歩数計端末は、この歩数計端末を携帯する使用者の歩数をカウントする歩数カウンタと、受信端末のアドレスを送信宛先として記憶した送信先記録部と、あらかじめ設定された所定の送信時刻になると、歩数カウンタにてカウントした使用者の歩数に関する歩数データを、受信端末に向けて自動的に送信する送信部と、を備える。受信端末は、送信部から送信された歩数データを受信する受信部と、歩数データを使用者の健康に関する情報に変換する歩数データ処理部と、を備える。【選択図】図１
2011170792.tif 000002
【特許請求の範囲】
【請求項１】
健康状態の管理対象者が常時携行でき、この管理対象者の歩行を計測する歩数計端末と、
前記歩行計端末と所定の回線を介してデータの送受信が可能であって、前記管理対象者の健康状態を監視する監視者が携行可能な受信端末と、を具備し、
前記歩数計端末は、
この歩数計端末を携帯する使用者の歩数をカウントする歩数カウンタと、
前記受信端末のアドレスを送信宛先として記憶した送信先記録部と、
あらかじめ設定された所定の送信時刻になると、前記歩数カウンタにてカウントした使用者の歩数に関する歩数データを、前記受信端末に向けて自動的に送信する送信部と、を備え、
前記受信端末は、
前記送信部から送信された歩数データを受信する受信部と、
前記歩数データを使用者の健康に関する情報に変換する歩数データ処理部と、を備える
遠隔管理システム。
【請求項２】
前記送信部は、前記所定の送信時刻に送信データを送信することに代えて、前記歩数カウンタによるカウント値があらかじめ定められた閾値を超えた場合に、前記歩数データを送信する、
請求項１に記載の遠隔管理システム。
【請求項３】
前記送信部は、前記歩数カウンタによるカウント値があらかじめ定められた閾値を超えた場合に、閾値を超えたことを示す合図を送信し、
前記歩数データ処理部には、前記閾値に対応した歩数値が設定記憶されており、
前記歩数データ処理部は、受信した前記合図の個数に基づいて使用者の歩数を算出する、
請求項２に記載の遠隔管理システム。
【請求項４】
前記歩数カウンタによるカウント値が閾値未満の状態が、所定の時間以上続いた場合には、
前記送信部は、前記受信端末に警告を送信する、
請求項２または請求項３に記載の遠隔管理システム。
【請求項５】
前記歩数計端末は状態記録部を備え、
前記状態記録部は、前記送信部が前記受信端末に警告を伝えるデータを送信する場合には異常状態であることを記録し、
異常状態が所定の時間以上続いた場合には、前記送信部は、前記受信端末以外にあらかじめ登録された他の通信端末に警告を伝えるデータを送信する、
請求項４に記載の遠隔管理システム。
【請求項６】
請求項５において、歩数計端末は通話機能を有し、あらかじめ登録された相手からの着信を受けて通話状態となった場合に、異常状態を解除する、
請求項５に記載の遠隔管理システム。
【発明の詳細な説明】
【技術分野】
【０００１】
本発明は健康状態の遠隔管理システムに関する。
【背景技術】
【０００２】
使用者が身につけることにより、歩数を計測する歩数計が知られている。歩数計を用いることにより、使用者は、歩数から算出される運動量や消費カロリーなどに基づいて、健康状態を知ることができる。
近年では、歩数計の機能を有する移動体通信端末（携帯端末）が知られている。
【０００３】
特許文献１には、万歩計（登録商標）サーバに関する技術が開示されている。これによると、万歩計サーバにデータを蓄積することで、電子万歩計端末以外の端末によってもデータの参照・管理を行う。また利用者は、万歩計サーバに蓄積された他の利用者のデータを参照することができる。
【０００４】
特許文献２には、歩数管理装置に関する技術が開示されている。これによると、一定期間の歩数データをサーバに蓄積して集計し、集計したデータを携帯電話機に定期的に送信することができる。
【０００５】
特許文献３には、体動検出管理装置に関する技術が開示されている。これによると、歩数計で計測した歩数を、外部端末を介して歩数管理用サーバに記録する。このサーバは複数の使用者を登録することができ、外部端末からサーバにアクセスすることにより、使用者の歩数履歴や集計データなどを参照することができる。
【０００６】
特許文献４には、ネット健康管理システムに関する技術が開示されている。これによると、健康データ測定機能付き腕時計により計測された歩数、血圧、心拍、体温のデータを、携帯電話からインターネットを介してホストコンピュータに格納する。ホストコンピュータに記録された情報は、計測を行った本人のほか、医師等が確認することできる。
【先行技術文献】
【特許文献】
【０００７】
【特許文献１】特開２００２−１７６４２６号公報
【特許文献２】特開２００３−０００５７２号公報
【特許文献３】特開２００３−３０７４３１号公報
【特許文献４】特開２００５−０３４５４７号公報
【発明の概要】
【発明が解決しようとする課題】
【０００８】
近年問題になるつつあることとして、高齢者の独り暮らしが増えていることがあげられる。例えば都会で息子や娘たちが働き、高齢の親が離れた地方に住んでいるケースが多くなってきている。このような場合において離れた地点に住む息子、娘たちは、高齢の親の様子、特に健康状態が心配である。ここで、特許文献１乃至４に開示の技術によれば、健康管理を行うことができる。しかし、高齢の親自身が特許文献１乃至４に開示されるような複雑な機能を有する携帯端末の操作や、インターネットを介したサーバへのアクセス技術を自ら使用して健康管理をすることは難しい。
したがって、都会にいながらも息子や娘たちが、地方に住む高齢の親の健康状態を把握できるようにするシステムが切望されていた。
【０００９】
本発明はこのような問題点を解決するためになされたものであり、簡易な構成で遠隔地にいる人の健康状態を管理できる、健康状態の遠隔管理システムを提供することを目的とする。
【課題を解決するための手段】
【００１０】
本発明の第１の態様にかかる遠隔管理システムは、健康状態の管理対象者が常時携行でき、この管理対象者の歩行を計測する歩数計端末と、前記歩行計端末と所定の回線を介してデータの送受信が可能であって、前記管理対象者の健康状態を監視する監視者が携行可能な受信端末と、を具備し、前記歩数計端末は、この歩数計端末を携帯する使用者の歩数をカウントする歩数カウンタと、前記受信端末のアドレスを送信宛先として記憶した送信先記録部と、あらかじめ設定された所定の送信時刻になると、前記歩数カウンタにてカウントした使用者の歩数に関する歩数データを、前記受信端末に向けて自動的に送信する送信部と、を備え、前記受信端末は、前記送信部から送信された歩数データを受信する受信部と、前記歩数データを使用者の健康に関する情報に変換する歩数データ処理部と、を備える。
【発明の効果】
【００１１】
本発明により、簡易な構成で遠隔地にいる人の健康状態を管理できる、健康状態の遠隔管理システムを提供することができる。
【図面の簡単な説明】
【００１２】
【図１】実施の形態１にかかる遠隔管理システムの概略を示すブロック図である。
【図２】実施の形態１にかかる遠隔管理システムの処理フローを表す図である。
【図３】実施の形態１の変形例１にかかる遠隔管理システムの概略を示すブロック図である。
【図４】実施の形態１の変形例２にかかる遠隔管理システムの概略を示すブロック図である。
【図５】実施の形態２にかかる遠隔管理システムの概略を示すブロック図である。
【発明を実施するための形態】
【００１３】
実施の形態１
以下、図面を参照して本発明の実施の形態について説明する。
図１は、健康状態の遠隔管理システムの概略を示すブロック図である。
遠隔管理システムは、携帯端末（歩数計端末）１００と、携帯端末（受信端末）２００と、を備える。ここで、例えば携帯端末１００を高齢者が保有し、携帯端末２００を遠隔地に住む息子が保有するものとする。
【００１４】
携帯端末１００は、歩数計測部２と、送信先記録部３と、送信部４と、表示部５と、タイマー６を備える。
【００１５】
歩数計測部２は、メモリ（第１のメモリ）７と、歩数計アプリ８と、歩数カウンタ９と、を備えている。
歩数カウンタ９は、使用者の歩行回数のカウントを行うものであり、例えば振動センサである。振動センサで検知した振動が閾値を超えた場合に、歩行を行ったものとしてカウントする。また、歩数カウンタ９でカウントされた歩数は、タイマー６の動作に基づいて一定時間ごとに、歩数データとしてメモリ７に格納される。
典型的には、歩数計測部２は携帯端末１００のアプリケーションの一つとして動作する。すなわち携帯端末１００は、歩数計測部２をソフトウェアにより実行し、歩数のカウントを開始する。
【００１６】
送信先記録部３には、あらかじめ携帯端末２００の情報が記録されている。ここで、送信先記録部３には、携帯端末２００とのデータ通信に用いるためのアドレスのほか、音声通信を行うための接続先番号（電話番号）が記録されているものとする。
【００１７】
送信部４は、送信先記録部３に登録されているアドレスにデータの送信を行う。このとき、メモリ７に格納されている歩数データを読み出して、前記アドレスに送信する。具体的な送り方は後述する。なお、送信部４による情報の送信には、インターネット網を利用するほか、専用回線を利用してもよい。
【００１８】
表示部５は、各種情報を表示する。例えば、携帯端末１００の使用者は、表示部５に表示される情報を参照して携帯端末１００を操作し、歩数データの確認や、情報送信先の変更などを行うことができる。
【００１９】
タイマー６は、所定の時間を測定することができる。例えば送信部４は、タイマー６で一定の時間が経過するごとに、歩数データの送信を行うこととすることができる。
【００２０】
携帯端末２００は、歩数計アプリ１０と、受信部１２と、表示部１１と、を備える。
また、歩数計アプリ１０は、メモリ（第２のメモリ）１３を備える。
【００２１】
受信部１２は、自己のアドレスに送られてくるデータを受信する。携帯端末１００から送信された歩数データを受信した場合には、歩数データはメモリ１３に格納される。
【００２２】
歩数計アプリ１０は、典型的には歩数計アプリ８と同様の構成である。これにより、例えば歩数計測部２で取得した歩数データが専用のデータ形式で記録され、携帯端末２００に送信された場合であっても、携帯端末２００において歩数データを確認することができる。歩数計アプリ１０では、受信部１２で受信したデータを健康に関する情報に変換する。ここで健康に関する情報とは、時間毎の歩数や、一日分の歩数などである。
【００２３】
表示部１１は、各種データを表示する。典型的には、表示部１１はディスプレイである。例えば、携帯端末２００の使用者は、表示部１１に表示される情報を見ることにより歩数データの確認を行うことができる。
【００２４】
なお、携帯端末１００及び携帯端末２００は、携帯電話機であってもよい。この場合、特に詳しく説明しないが、送話、受話、発着信の各機能を有し、入力操作ができるボタンを有していてもよい。
【００２５】
次に、本実施の形態にかかる遠隔管理システムの動作について説明する。
図２は、遠隔管理システムの処理フローを示す図である。
【００２６】
携帯端末１００は、歩数の計測を行いたい使用者が携帯する。また携帯端末２００は、携帯端末１００から歩数データの通知を受けたい人物が携帯する。例えば、歩数の計測を行いたい使用者とは高齢者であり、歩数データの通知を受けたい人物とは遠隔地にいる高齢者の家族である。
【００２７】
高齢者が携帯端末１００を携帯して歩行すると、歩数カウンタ９により、使用者の歩数がカウントされる（ステップＳ１）。
ここで、あらかじめ設定された時間が経過するまで、カウントを続行する（ステップＳ２でＮｏ）。例えば、タイマー６により１時間の経過が計測されるまで、歩数カウンタ９はカウントアップによるカウントを行う。
【００２８】
タイマー６により、所定の時間の経過が確認されたら（ステップＳ２でＹｅｓ）、歩数計アプリ８は、歩数カウンタ９からカウント数を読み出す（ステップＳ３）。歩数計アプリ８は、読み出されたカウント数を変換処理し、歩数データとする（ステップＳ４）。
【００２９】
次に、歩数計アプリ８は、送信先記録部３に記録された送信先を読み取る（ステップＳ５）。
【００３０】
次に、歩数計アプリ８は、送信部４を用いて、送信先記録部３に記録された送信先に、歩数データを送信する（ステップＳ６）。ここでは、送信先記録部３に記録された送信先は携帯端末２００である。
また歩数計アプリ８は、歩数データをメモリ７に格納する（ステップＳ７）。その後、歩行検知に戻り、処理をループする。
【００３１】
携帯端末２００は、携帯端末１００の送信部４から送信された歩数データを、受信部１２により受信する（ステップＳ８）。なお携帯端末２００は、いつでも携帯端末１００から送信された歩数データを受信できる状態としておくことが望ましい。
【００３２】
歩数計アプリ１０は、受信部１２により携帯端末１００から受信した歩数データを、歩数計アプリ１０でデータ処理が可能なように変換する（ステップＳ９）。変換されたデータは、メモリ１３に格納される（ステップＳ１０）。したがって携帯端末２００の所有者は、携帯端末１００で計測された歩数データを、携帯端末２００の表示機能を用いて確認することができる（ステップＳ１１）。
これにより、携帯端末２００の所持者は、携帯端末１００の使用者の歩数を確認し、歩数情報に基づいて携帯端末１００の使用者の健康状態の変化を推察することができる。
【００３３】
さらに、携帯端末２００では、携帯端末１００で取得された歩数データを時間単位、日単位、週単位などに集計しておいてもよい。これにより携帯端末２００の使用者は、例えば携帯端末１００の使用者の歩数が極端に少ない場合に、異変を察知しやすくなる。また、携帯端末１００及び携帯端末２００が携帯電話であれば、携帯端末２００の所持者が異変を察知した場合には、音声通信を行うことにより、異変の有無を携帯端末１００の使用者に確認することができる。
【００３４】
すなわち、本実施の形態かかる遠隔管理システムによれば、携帯端末の歩数計機能を用い、遠隔地にいる人物の動作情報を確認することができる。また、異変を察知した場合には、携帯端末の音声通信機能を使って確認することができる。したがって、遠隔地にいる人物の状況を把握しやすく、コミュニケーションをより有効なタイミングで取ることができる。
【００３５】
また、高齢者は携帯端末を携帯しているだけで良く、特別な操作を必要としない点で有用である。
また、受信を行う携帯端末を持つ家族にダイレクトに歩数データを送信するので、途中にサーバを介する必要が無い。したがって、構成が簡易となる。また、家族も管理サーバー等にアクセスするなどの手間が無い。
さらに、受信側の携帯端末にも同じ携帯アプリを備えるので、同じ形式の歩数データを扱うことができる。したがって、専用サーバを用いることなく統計処理等を行うことができる。
【００３６】
（変形例１）
送信タイミングについては、所定の時間間隔とする他、次のようにしてもよい。
図３は、変形例２にかかる遠隔管理システムの概略を示すブロック図である。前述の遠隔管理システムと同一の構成要素に対しては、同一の符号を付加し、該構成要素に関する説明を省略する。
【００３７】
閾値記録部１４には、あらかじめ定めた閾値を記録しておく。
送信部４により、歩数データを送信するタイミングは、歩数カウンタ９でカウントされた歩数が、閾値記録部１４に記録された閾値を超えたときとすることができる。これにより携帯端末２００では、携帯端末１００の所持者が歩行をよく行っているときには短い間隔で、歩行を行っていない場合には長い間隔で、歩数データを受信することになる。
【００３８】
例えば送信部４は、閾値以上の歩行が行われた場合と、一定時間が過ぎた場合の両方のタイミングで、歩数データの送信を行うこととしてもよい。また、閾値以上の歩行が行われた場合にはタイマー６をリセットすることで、携帯端末１００の所持者の歩行数が多い場合には一定の歩数毎に歩数データを送信し、歩行数が少ない場合には一定時間毎に歩数データを送信することとしてもよい。
【００３９】
歩数カウンタ９でカウントされた歩数が閾値に達しない時間が長い場合には、送信先記録部３に登録されている送信先の携帯端末２００に、歩数データとは異なる、警告を行うデータの送信を行ってもよい。
【００４０】
（変形例２）
図４は、変形例２にかかる健康状態の遠隔管理システムの概略を示すブロック図である。前述の遠隔管理システムと同一の構成要素に対しては、同一の符号を付加し、該構成要素に関する説明を省略する。
【００４１】
歩数計アプリ１０は、統計処理部１５を備える。
統計処理部１５は、受信部１２が受信したデータに基づいて、歩数データを作成する。また送信部４は、歩数が所定の歩数閾値を超えたときに、受信部１２に向けて合図を送る。この合図は、歩数カウンタ９が閾値を超えたことを示せればよく、歩数値そのものは必要ない。
【００４２】
統計処理部１５は、受信部１２が受信した合図の回数により、歩数データを作成する。例えば携帯端末１００では、１０００歩を超えると合図を送信するように設定しておく。携帯端末２００の統計処理部１５では、合図の受信回数に１０００を乗じた回数の歩行がなされたものとして歩行データを作成することができる。例えば、携帯端末２００が合図を４回受信したとすると、統計処理部１５は、４０００歩の歩行がなされたとする歩行データを作成する。
【００４３】
この場合、携帯端末１００から送信するデータには、歩行回数に関する情報を含まないため、送信データの容量を少なくすることができる。
【００４４】
実施の形態２
図５は、健康状態の遠隔管理システムの他の例である。実施の形態１に示した健康状態の遠隔管理システムと同一の構成要素に対しては、同一の符号を付加し、該構成要素に関する説明を省略する。
【００４５】
図５に示した遠隔管理システムは、図１に示した遠隔管理システムに比べ、歩数データの送信先となる携帯端末が複数存在する点に特徴を有する。また、携帯端末１００が状態記録部１６を有する点に特徴を有する。
【００４６】
携帯端末３００は、典型的には携帯端末２００と同様の構成をもつ携帯端末である。
【００４７】
次に動作について説明する。ここで携帯端末２００は通常時の連絡先であり、携帯端末３００は緊急時の連絡先として説明する。
【００４８】
携帯端末１００は、歩数の計測を行いたい使用者が携帯する。携帯端末２００および携帯端末３００は、携帯端末１００から歩数データの通知を受けたい人物が携帯する。
送信先記録部３にはあらかじめ携帯端末２００および携帯端末３００の情報が記録されている。送信先記録部３には、携帯端末２００および携帯端末３００とのデータ通信に用いるためのアドレスのほか、音声通信を行うための電話番号が記録されている。また、送信先記録部３において、携帯端末２００は歩数データの第１の送信先として記録され、携帯端末３００は歩数データの第２の送信先として記録されている。
【００４９】
まず、使用者が携帯端末１００を携帯して歩行する。歩数計測部２では、使用者の歩行による歩数をカウントする。歩数計測部２の歩数カウンタ９によりカウントされた歩数は、歩数データとしてメモリ７に記録される。
【００５０】
送信部４は、メモリ７に記録された歩数データを、送信先記録部３において第１の送信先として記録されている携帯端末２００に定期的に送信する。歩数データを送信する間隔はあらかじめ設定しておく。例えば送信部４は、所定の歩数が歩数カウンタ９でカウントされるごとに歩数データを送信する。
【００５１】
携帯端末２００は、携帯端末１００の送信部４から送信された歩数データを、受信部１２により受信する。
【００５２】
受信部１２により携帯端末１００から受信した歩数データは、歩数計アプリ１０にあるメモリ１３に格納される。したがって携帯端末２００の所有者は、携帯端末１００で計測された歩数データを携帯端末２００で確認することができる。
【００５３】
携帯端末１００の歩数カウンタが所定の回数だけカウントされず、タイマー６によって測定される時間が閾値以上の時間となった場合には、携帯端末１００の使用者が動作を行っておらず、異常が発生しているものと判断し、携帯端末１００は送信部４を通じて携帯端末２００に警告を伝えるデータを送信する。このとき状態記録部１６は、異常状態であることを記録する。
その後、警告情報を受信した携帯端末２００から、携帯端末１００に対して音声通信等による連絡がなされた場合には、異常な状態の確認がなされたと判断する。このとき状態記録部１６は、正常状態であると記録する。
【００５４】
携帯端末２００から携帯端末１００に対して所定の時間中に連絡がなく、一定時間以上、状態記録部に異常状態が記録されたままの場合には、異常な状態の確認がなされずにいるものと判断する。
このとき携帯端末１００は連絡先を変更して、携帯端末３００に警告を伝えるデータ通信を行う。これにより携帯端末３００の所持者は、警告の内容を把握することや、携帯端末１００の使用者と連絡をとり、異常状態の確認を行うことができる。
また、携帯端末３００の所持者が救命センター等であれば、例えば携帯端末１００がもつＧＰＳ情報を参照して、携帯端末１００の使用者のもとに救急車両を向かわせることができる。
【００５５】
これにより、携帯端末１００の使用者の異常を携帯端末２００の所持者が気づかない場合であっても、携帯端末３００の所持者に対して警告を発することができる。
【００５６】
なお、本発明は上記実施の形態に限られたものではなく、趣旨を逸脱しない範囲で適宜変更することが可能である。例えば、実施の形態１に示した遠隔管理システムにおいて、携帯端末１００と携帯端末２００のそれぞれが情報送信機能と情報受信機能を備え、携帯端末１００と携帯端末２００で取得された歩数データを互いに送受信することとしても良い。このような構成とすることで、携帯端末１００の使用者と携帯端末２００の使用者が、お互いに健康状態をチェックすることができる。
実施の形態２に示した遠隔管理システムにおいて、単に携帯端末１００から複数の携帯端末に歩数データを同時に送信することとしてもよい。また、歩数データの送信先となる携帯端末の個数は限定されない。
【符号の説明】
【００５７】
２      歩数計測部
３      送信先記録部
４      送信部
５      表示部
６      タイマー
７      メモリ
８      歩数計アプリ
９      歩数カウンタ
１０    歩数計アプリ
１１    表示部
１２    受信部
１３    メモリ
１４    閾値記録部
１５    統計処理部
１６    状態記録部
１００  携帯端末
２００  携帯端末
３００  携帯端末
【図１】
2011170792.tif 000003
【図２】
2011170792.tif 000004
【図３】
2011170792.tif 000005
【図４】
2011170792.tif 000006
【図５】
2011170792.tif 000007